(57)【要約】【課題】脚に追加工を施すことなく低コストで棚板の取付けができるとともに、棚板を安定して、強固に支持することができ、しかも外観が良好な棚板付きテーブルを提供する。【解決手段】互いに対向する１対の脚１ｃの対向面に、開口縁部に相対向して突出する突出片８を有する係合溝７をそれぞれ設け、係合溝７に挿入された板ナット２１と棚板６を支持する支持ブラケット１４とにより突出片８を挟んだ状態で、支持ブラケット１４から板ナット２１にねじ込んだねじ２３により該支持ブラケット１４を固着し、かつ、天板５の下面に上端を固着した吊下げ部材２５の下端で支持ブラケット１４または棚板６を受け止める。【選択図】図３
2005131133.tif 000002
【特許請求の範囲】
【請求項１】
複数本の脚により天板を支持し、かつ前記天板の下方に棚板を取付けた棚板付きテーブルにおいて、
互いに対向する１対の脚の対向面に、開口縁部に相対向して突出する突出片を有する係合溝をそれぞれ設け、該係合溝に挿入された板ナットと、前記棚板を支持する支持ブラケットとにより前記突出片を挟んだ状態で、該支持ブラケットから前記板ナットにねじ込んだねじにより前記支持ブラケットを固着し、さらに、前記棚板の下降を防止する下降防止手段を設けたことを特徴とする棚板付きテーブル。
【請求項２】
下降防止手段の一つを、上端に設けた折曲部が天板の下面に固着され、かつ下端に設けた折曲部により、棚板または支持ブラケットを受け止めるようにした吊下げ部材としたことを特徴とする請求項１記載の棚板付きテーブル。
【請求項３】
吊下げ部材を、テーブルにおける１対の脚の間の一側面を覆う化粧パネルとしたことを特徴とする請求項２記載の棚板付きテーブル。
【請求項４】
下降防止手段の一つを、支持ブラケットの上下部に設けられ、脚の係合溝に嵌合する１対の係合爪としたことを特徴とする請求項１〜３のいずれか１項に記載の棚板付きテーブル。
【請求項５】
板ナットの幅を、係合溝の開口幅より小とし、かつ長さを係合溝の奥部の幅より大としたことを特徴とする請求項１〜４のいずれか１項に記載の棚板付きテーブル。
【請求項６】
下降防止手段の一つを、テーブルを設置した床と棚板または支持ブラケットとの間に設けた支柱としたことを特徴とする請求項１〜５のいずれか１項に記載の棚板付きテーブル。
【発明の詳細な説明】
【技術分野】
【０００１】
本発明は、例えばオフィスや病院の診察室等において使用されるワークテーブルの天板の下方に棚板を取付けた棚板付きテーブルに関し、特に棚板の取付け構造の改良に関する。
【背景技術】
【０００２】
近年、オフィス等の執務室で使用されるワークテーブルにおいては、体裁がよく、安価に製作できることから、押出し材からなる脚によって天板を支持して構成されたものが多く見受けられるようになっている。この種のワークテーブルにおいて、天板の下方に棚板を設けた構成のものも知られている。この棚板をテーブルに取付ける構造として、脚の側部に係合孔を設け、この係合孔に棚板を支持するブラケットの係合爪を係止するようにした技術が提案されている（例えば、特許文献１参照）。
【特許文献１】特開２０００−２４５５５３号公報（図９、図１０）
【発明の開示】
【発明が解決しようとする課題】
【０００３】
しかし、上記従来技術では、押出し成形後の脚に係合孔を追加工で形成する必要があり、加工工数およびコストがそれだけ増すばかりでなく、棚板を取り外した場合、あるいは棚板を取付けないテーブルでは係合孔が外部に露出し、体裁が悪いという問題がある。
【０００４】
本発明は、従来の技術が有する上記のような問題点に鑑み、脚に追加工を施すことなく低コストで棚板の取付けができるとともに、棚板を安定して、強固に支持することができ、しかも外観が良好な棚板付きテーブルを提供することを目的としている。
【課題を解決するための手段】
【０００５】
本発明によると、上記課題は、次のようにして解決される。
(１)  複数本の脚により天板を支持し、かつ前記天板の下方に棚板を取付けた棚板付きテーブルにおいて、互いに対向する１対の脚の対向面に、開口縁部に相対向して突出する突出片を有する係合溝をそれぞれ設け、該係合溝に挿入された板ナットと、前記棚板を支持する支持ブラケットとにより前記突出片を挟んだ状態で、該支持ブラケットから前記板ナットにねじ込んだねじにより前記支持ブラケットを固着し、さらに、前記棚板の下降を防止する下降防止手段を設ける。
【０００６】
(２)  上記(１)項において、下降防止手段の一つを、上端に設けた折曲部が天板の下面に固着され、かつ下端に設けた折曲部により、棚板または支持ブラケットを受け止めるようにした吊下げ部材とする。
【０００７】
(３)  上記(２)項において、吊下げ部材を、テーブルにおける１対の脚の間の一側面を覆う化粧パネルとする。
【０００８】
(４)  上記(１)〜(３)項のいずれかにおいて、下降防止手段の一つを、支持ブラケットの上下部に設けられ、脚の係合溝に嵌合する１対の係合爪とする。
【０００９】
(５)  上記(１)〜(４)項のいずれかにおいて、板ナットの幅を、係合溝の開口幅より小とし、かつ長さを係合溝の奥部の幅より大とする。
【００１０】
(６)  上記(１)〜(５)項のいずれかにおいて、下降防止手段の一つを、テーブルを設置した床と棚板または支持ブラケットとの間に設けた支柱とする。
【発明の効果】
【００１１】
本発明によると、次のような効果を奏することができる。
(ａ)請求項１記載の発明によると、１対の脚の係合溝に挿入された板ナットと棚板の支持ブラケットとをねじにより固着しているので、押出し材の脚には孔穿等の追加工を施す必要がなくなり、コスト低減が可能となるとともに、棚板を取り外した際にも、脚に孔加工がないため外観も良好となる。また、下降防止手段により、棚板が下方にずり落ちのを防止することができる。
【００１２】
(ｂ)請求項２記載の発明によると、下降防止手段の一つを、天板の下面に上端を固着した吊下げ部材とし、この吊下げ部材の下端で棚板を受け止めるようにしたので、簡単な構造で棚板が下方にずり落ちたり、棚板が撓むことが防止できる。
【００１３】
(ｃ)請求項３記載の発明によると、吊下げ部材を、テーブルの棚板側の側面を覆う化粧パネルとしたので、別途に吊下げ部材を設ける必要がなくなり、部品点数の削減によりコストが低減できるとともに、体裁がよくなる。
【００１４】
(ｄ)請求項４記載の発明によると、下降防止手段の一つを、支持ブラケットの上下部に設けられ、脚の係合溝に嵌合する１対の係合爪とし、棚板の先端部に下向きの荷重が掛かったときの支持ブラケットの下向きのモーメントにより、上下の係合爪が係合溝の互いに異なる対向縁に噛みついて、支持ブラケットの下降が防止されるとともに、荷重に対する強度がより大きくなる。
また、係合爪が脚の係合溝に嵌合することにより、支持ブラケットの係合溝内でのがたつきが防止できる。
【００１５】
(ｅ)請求項５記載の発明によると、板ナットを、脚の側方から係合溝に簡単に挿入できるとともに、ねじを回転させることにより、板ナットが若干回動して、突出片の内側に簡単に係合することができ、組付け作業性が向上する。
【００１６】
(ｆ)請求項６記載の発明によると、下降防止手段の一つを、テーブルを設置した床と棚板または支持ブラケットとの間に設けた支柱としたことにより、棚板が下方にずり落ちたり、棚板が撓むことが確実に防止できる。
【発明を実施するための最良の形態】
【００１７】
以下、本発明の一実施形態を，図面に基づいて説明する。
図１は、本発明の一実施形態を備える棚板付きテーブルの正面図、図２は、平面図である。
【００１８】
同図に示すように、テーブル(Ｔ)は、４本の脚(1a)(1b)(1c)(1d)と、前後の脚(1a)(1c)と(1b)(1d)同士を連結する前後方向を向く横桟(２)(２)と、この横桟(２)同士を連結する左右方向を向く１対の連結桟(３)(３)と、この脚(1a)〜(1d)の上部に取付けられた天板(５)とを備えている。なお、本実施形態の天板(５)は左方に突出部(5a)が、前方に弧状部(5b)が各々形成された非長方形の形状であるが、完全な長方形であってもよい。この天板(５)の下方に棚板(６)が取付けられている。
【００１９】
図３は、棚板の取付構造を示す分解斜視図、図４は、図２のＩＶ−ＩＶ線断面図、図５は、図４のＶ−Ｖ線断面図である。
【００２０】
図３〜図５に示すように、ほぼ円柱状の脚(1c)（他の脚(1a)(1b)(1d)も同一構造である）の外周には、上下方向を向く４本の係合溝(７)が円周方向に等間隔で形成されている。各係合溝(７)の開口縁部には、互いに内向きの突出片(８)が形成されている。なお、係合溝(７)は、前後に対向する脚(1a)(1c)の相対向する側に１本のみ形成した構造でもよい。
【００２１】
棚板(６)を取付けるための支持ブラケット(14)は、基板(９)の上端および下端に、上部係合爪(10)及び下部係合爪(11)が各々外向きに直角に折曲げて形成され、後側端縁には側部係合片(12)が外向きに直角に折曲げて形成され、かつ、前側端縁には内向きに直角に折曲げて形成された折曲部(13)から直角に前方に折曲げて形成された支持ブラケット(14)が形成されたものよりなっている。支持ブラケット(14)は、縦板(15)の上端縁に孔(17)(18)付きの受け板(16)が形成されたものである。
【００２２】
図３に示すように、脚(1c)の係合溝(７)に係合されるねじ孔(20)付きの板ナット(21)は、幅が係合溝(７)の開口幅より小さく、長さが係合溝(７)の奥部の幅より長く、かつ上下の端部にテーパ面(22)が形成されたものである。
【００２３】
上下１対の板ナット(21)を、ねじ(23)の先端部に保持して係合溝(７)に嵌め込むとともに、支持ブラケット(14)の上部係合爪(10)及び下部係合爪(11)を係合溝(７)に嵌め込み、ねじ(23)を基板(９)の孔(24)から板ナット(21)にねじ込んで締め付けることにより、板ナット(21)は係合溝(７)内でねじ(23)の回転方向（図３の矢印Ｙの方向）に回転し、テーパ面(22)が係合溝(７)の両側壁に当接する（鎖線の位置）。これにより、支持ブラケット(14)の基板(９)が脚(1c)に固着される。基板(９)の側部係合片(12)は脚(1c)の外周部に当接し、支持ブラケット(14)の図５における矢印Ｘ方向への回動を阻止している。支持ブラケット(14)に荷重が加わると、支持ブラケット(14)にはねじ(23)の部分を支点とする回転モーメントが働き、これにより係合爪(10)(11)の互いに逆側の側部と突出片(８)とが噛み合い、支持ブラケット(14)の耐荷重強度が大となるとともに、支持ブラケット(14)の下降が阻止される。前側の脚(1a)にも同一構造の支持ブラケット(14)が取付けられる。
【００２４】
図４に示すように、棚板(６)は受け板(16)上に載置される。棚板(６)を受けるための吊下げ部材(25)は、上端と下端に折曲部(25a)(25b)が形成された板状のもので、棚板(６)の後端部(6a)に当接するとともに(図５参照)、上端の折曲部(25a)が天板(５)の下面にねじ(26)で固定され、下端の折曲部(25b)が棚板(６)の下面に当接され、折曲部(25b)を挟んで受け板(16)と棚板(６)がねじ(19)で固定される。棚板(６)は受け板(16)の先端部の孔(18)からもねじ(図示せず)により固定される。なお、吊下げ部材(25)の折曲部(25b)は支持ブラケット(14)の受け板(16)の下面に当接し、受け板(16)を介して棚板(６)を支持する構成でもよい。
【００２５】
吊下げ部材(25)は、吊下げ専用の部材として構成してもよいが、テーブルの棚板(６)側の側面を覆う化粧パネルを利用することも可能である。これにより、別途に吊下げ部材を設ける必要がなくなり、部品点数の削減によりコストが低減できるとともに、体裁がよくなる。
【００２６】
以上のように、本実施形態の棚板付きテーブルでは、互いに対向する１対の脚(1a)(1c)の対向面に係合溝(７)を設け、この係合溝(７)に挿入された板ナット(21)と棚板(６)の支持ブラケット(14)との間に突出片(８)を挟んでねじ(23)を締めつけることにより支持ブラケット(14)が脚(1a)(1c)に強固に固着され、押出し材の脚(1a)〜(1d)には孔穿等の追加工を施す必要がなくなり、コスト低減が可能となるとともに、孔がないため外観も良好となる。また、天板(５)の下面に上端を固着した吊下げ部材(25)の下端で、前記支持ブラケット(24)を受け止めているので、棚板(６)が下方にずり落ちたり、撓むことが防止できる。
【００２７】
なお、上記の例では、吊下げ部材(25)と、上下１対の係合爪(10)(11)とのそれぞれが、棚板(６)の下降を防止する下降防止手段の一つをなしているが、それらの一方を省略したり、またはそれらに代えて、もしくはそれらと併用するようにして、図１に示すように、棚板(６)または支持ブラケット(24)の下面と床(27)との間に支柱(28)を設け、この支柱(28)を下降防止手段の一つとして、棚板(６)が下方にずり落ちたり、撓むことを防止するようにしてもよい。
【図面の簡単な説明】
【００２８】
【図１】本発明の一実施形態の正面図である。
【図２】同じく、平面図である。
【図３】同じく、棚板の取付構造を示す分解斜視図である。
【図４】同じく、図２のＩＶ−ＩＶ線拡大断面図である。
【図５】同じく、図４のＶ−Ｖ線拡大断面図である。
【符号の説明】
【００２９】
(1a)(1b)(1c)(1d)脚
(２)横桟
(３)連結桟
(５)天板
(６)棚板
(6a)後端部
(７)係合溝
(８)突出片
(９)基板
(10)上部係合爪
(11)下部係合爪
(12)側部係合片
(13)折曲部
(14)支持ブラケット
(15)縦板
(16)受け板
(17)孔
(18)孔
(19)ねじ
(20)ねじ孔
(21)板ナット
(22)テーパ面
(23)ねじ
(24)孔
(25)吊下げ部材
(25a)折曲部
(25b) 折曲部
(26)ねじ
(27)床
(28)支柱
【図１】
2005131133.tif 000003
【図２】
2005131133.tif 000004
【図３】
2005131133.tif 000005
【図４】
2005131133.tif 000006
【図５】
2005131133.tif 000007